(57)【特許請求の範囲】
【請求項１】
画像を生成する複数の画像生成装置と、投影画面を分割して複数の画像を同時に投影するマルチモードにより前記画像生成装置から伝送された画像を投影する画像投影装置とから構成される画像伝送システムであって、
前記画像生成装置は、
画像を生成する画像生成手段と、
前記画像に、画像送信または前記画像投影装置における投影に関する調整を施す送信画像調整手段と、
調整された前記画像を前記画像投影装置に送信する送信手段とを備え、
前記画像投影装置は、
前記画像生成装置から送信される画像を受信する受信手段と、
受信された前記画像に施された調整の内容を判定し、判定結果に応じて前記画像に再調整を施す出力画像調整手段と、
前記再調整後の画像を投影する投影手段とを備え、
前記送信画像調整手段は、前記マルチモード、または前記画像投影装置において１つの画像を前記投影画面の全面に投影する全面モード、に対応する調整を前記画像に施し、
前記出力画像調整手段は、前記マルチモードで前記画像に再調整を施している際には、後から前記受信手段により受信された他の画像生成装置の画像を優先して再調整を施し、前記全面モードで前記画像に再調整を施している際には、現在再調整を施している前記画像を優先し、後から前記受信手段により受信された他の画像生成装置の画像に対して再調整を施さない
ことを特徴とする画像伝送システム。
【請求項２】
前記出力画像調整手段は、前記マルチモードで再調整を施している複数の前記画像の中の１つの画像が前記マルチモードに対応する調整を施された状態から前記全面モードに対応する調整を施された状態に替わった際に、前記マルチモードから前記全面モードに切り替えて再調整を施す
ことを特徴とする請求項１記載の画像伝送システム。
【請求項３】
前記出力画像調整手段は、前記全面モードで再調整を施している前記画像が前記全面モードに対応する調整を施された状態から前記マルチモードに対応する調整を施された状態に替わった際に、前記全面モードから前記マルチモードに切り替えて再調整を施す 
ことを特徴とする請求項１記載の画像伝送システム。
【請求項４】
前記出力画像調整手段は、受信された前記画像に、前記投影画面を１つの主領域と複数の副領域に分割して複数の画像を同時に投影するインデックスモードを用いて再調整を施す
ことを特徴とする請求項１記載の画像伝送システム。
【請求項５】
前記画像投影装置は、さらに、
前記副領域に投影された複数の画像の中から１つの画像の選択を受け付ける選択受付手段を備え、
前記出力画像調整手段は、選択された前記画像を前記主領域に投影するように再調整を施す
ことを特徴とする請求項４記載の画像伝送システム。
【請求項６】
前記画像生成装置は、さらに、
前記画像を構成するレイヤーを、前記画像投影装置に送信するレイヤーと、送信しないレイヤーとに選別する選別手段を備え、
前記送信画像調整手段は、前記選別された送信レイヤーに、レイヤー送信または前記画像投影装置における投影に関する調整を施し、
前記送信手段は、前記調整されたレイヤーを前記画像投影装置に送信し、
前記受信手段は、前記画像生成装置から送信されるレイヤーを受信し、
前記出力画像調整手段は、前記受信したレイヤーに施された調整の内容を判定し、判定結果に応じて前記レイヤーに再調整を施し、
前記投影手段は、前記再調整後のレイヤーを投影する
ことを特徴とする請求項１記載の画像伝送システム。
【請求項７】
前記送信画像調整手段は、前記画像投影装置の投影画面中における位置を指定する情報を前記画像に付加し、
前記出力画像調整手段は、前記指定された位置を判定して前記画像を前記投影画面中における位置に配置する
ことを特徴とする請求項１記載の画像伝送システム。
【請求項８】
前記送信画像調整手段は、前記画像を前記画像投影装置の投影画面におけるサイズに合わせて調整する
ことを特徴とする請求項７記載の画像伝送システム。
【請求項９】
前記送信画像調整手段は、前記画像の解像度を調整する
ことを特徴とする請求項１記載の画像伝送システム。
【請求項１０】
前記送信画像調整手段は、予め前記画像投影装置における表示可能な解像度に関する情報を取得し、当該解像度情報に基づいて、前記画像の解像度を調整する 
ことを特徴とする請求項９記載の画像伝送システム。
【請求項１１】
前記出力画像調整手段は、前記送信画像調整手段において調整された解像度が、前記画像投影装置における表示可能な解像度と一致しない場合に、前記受信した画像の解像度を再調整する
ことを特徴とする請求項９記載の画像伝送システム。 
【請求項１２】
前記送信画像調整手段は、前記画像のうち前記画像投影装置に送信する領域を設定する
ことを特徴とする請求項１記載の画像伝送システム。
【請求項１３】
前記送信画像調整手段は、前記画像を構成するレイヤーのうち、前記画像生成装置における表示画面中で最前面に配置されているレイヤーを前記領域に設定する
ことを特徴とする請求項１２記載の画像伝送システム。
【請求項１４】
前記送信画像調整手段は、前記画像のうち、ユーザから指定された領域を前記領域に設定する
ことを特徴とする請求項１２記載の画像伝送システム。
【請求項１５】
前記送信画像調整手段は、前記画像の圧縮度を調整して、前記画像を圧縮するとともに、前記圧縮に関する情報を前記圧縮された画像に付加し、
前記出力画像調整手段は、前記圧縮に関する情報を判定して、前記受信した画像を解凍する
ことを特徴とする請求項１記載の画像伝送システム。
【請求項１６】
前記送信画像調整手段は、前記画像投影装置における投影画面の占有に関する権限を設定して、前記画像に前記権限に関する情報を付加し、
前記出力画像調整手段は、前記権限に関する情報に基づいて、前記受信した画像の投影の可否を判定する
ことを特徴とする請求項１記載の画像伝送システム。
【請求項１７】
前記画像伝送システムは、さらに、前記画像投影装置を操作するためのリモートコントローラを備え、
前記リモートコントローラは、
ユーザから前記画像投影装置の操作を受け付ける操作入力手段と、
前記操作入力手段の入力を仮想的に前記画像生成装置の入力装置による入力モードに設定するエミュレートモード設定手段とを備え、
前記画像投影装置は、
前記操作入力手段に入力された操作信号を取得するリモコンコード受信手段と、
前記取得した操作信号を前記画像生成装置に送信する信号送信手段とを備え、
前記画像生成装置は、
前記操作信号を受信する信号受信手段と、
前記受信した操作信号を前記画像生成装置の入力装置による入力に変換するキーエミュレート手段とを備える
ことを特徴とする請求項１記載の画像伝送システム。
【請求項１８】
画像を生成する複数の画像生成装置から、投影画面を分割して複数の画像を同時に投影するマルチモードにより前記画像を投影する画像投影装置に前記画像を伝送する画像伝送方法であって、
前記画像生成装置において、
画像を生成する画像生成ステップと、
前記画像に、画像送信または前記画像投影装置における投影に関する調整を施す送信画像調整ステップと、 
調整された前記画像を前記画像投影装置に送信する送信ステップとを含み、
前記画像投影装置において、
前記画像生成装置から送信される画像を受信する受信ステップと、
受信された前記画像に施された調整の内容を判定し、判定結果に応じて前記画像に再調整を施す出力画像調整ステップと、
前記再調整後の画像を投影する投影ステップとを含み、
前記送信画像調整ステップでは、前記マルチモード、または前記画像投影装置において１つの画像を前記投影画面の全面に投影する全面モード、に対応する調整を前記画像に施し、
前記出力画像調整ステップでは、前記マルチモードで前記画像に再調整を施している際には、後から前記受信ステップにより受信された他の画像生成装置の画像を優先して再調整を施し、前記全面モードで前記画像に再調整を施している際には、現在再調整を施している前記画像を優先し、後から前記受信ステップにより受信された他の画像生成装置の画像に対して再調整を施さない
ことを特徴とする画像伝送方法。
【請求項１９】
画像を生成する複数の画像生成装置と、投影画面を分割して複数の画像を同時に投影するマルチモードにより前記画像生成装置から伝送された画像を投影する画像投影装置とから構成される画像伝送システムにおける画像投影装置であって、
前記画像生成装置から送信される画像を受信する受信手段と、
受信された前記画像に施された調整の内容を判定し、判定結果に応じて前記画像に再調整を施す出力画像調整手段と、
前記再調整後の画像を投影する投影手段とを備え、
前記画像生成装置は、前記マルチモード、または前記画像投影装置において１つの画像を前記投影画面の全面に投影する全面モード、に対応する調整を前記画像に施し、
前記出力画像調整手段は、前記マルチモードで前記画像に再調整を施している際には、後から前記受信手段により受信された他の画像生成装置の画像を優先して再調整を施し、前記全面モードで前記画像に再調整を施している際には、現在再調整を施している前記画像を優先し、後から前記受信手段により受信された他の画像生成装置の画像に対して再調整を施さない
ことを特徴とする画像投影装置。
【請求項２０】
画像を生成する複数の画像生成装置と、投影画面を分割して複数の画像を同時に投影するマルチモードにより前記画像生成装置から伝送された画像を投影する画像投影装置とから構成される画像伝送システムにおける画像投影装置のためのプログラムであって、
前記画像生成装置から送信される画像を受信する受信ステップと、
受信された前記画像に施された調整の内容を判定し、判定結果に応じて前記画像に再調整を施す出力画像調整ステップと、
前記再調整後の画像を投影する投影ステップとをコンピュータに実行させ、
前記画像生成装置は、前記マルチモード、または前記画像投影装置において１つの画像を前記投影画面の全面に投影する全面モード、に対応する調整を前記画像に施し、
前記出力画像調整ステップでは、前記マルチモードで前記画像に再調整を施している際には、後から前記受信ステップにより受信された他の画像生成装置の画像を優先して再調整を施し、前記全面モードで前記画像に再調整を施している際には、現在再調整を施している前記画像を優先し、後から前記受信ステップにより受信された他の画像生成装置の画像に対して再調整を施さない
ことを特徴とするプログラム。
【発明の詳細な説明】
【技術分野】
【０００１】
本発明は、パーソナルコンピュータ（以下、「ＰＣ」と表記する。）等の画像生成装置からプロジェクタ等の画像投影装置に送信される画像の伝送システムおよび伝送方法に関する。
【背景技術】
【０００２】
近年、ＰＣから画像信号を受信して、ＰＣの画面をスクリーン等に投影させるプロジェクタの普及が進んでいる。このプロジェクタは、ＰＣで編集したプレゼンテーション資料をスクリーン上に投影させることにより、伝えたい内容を視覚的に表現することができるので、会議や研修会等で多用されている。
【０００３】
通常、ＰＣとプロジェクタとは、ＲＧＢケーブルを介したアナログ接続により画像信号の受け渡しを行なっている。しかし、ＰＣとプロジェクタとを接続する手間がかかり、特に投影させたいデータが複数のＰＣに分かれて保存されている場合等には、その都度ＰＣとプロジェクタとの接続をやり直さなければならない。そこで、プロジェクタの使い勝手の改善を目的として、赤外線や無線ＬＡＮ等を介してＰＣからプロジェクタに画像信号を伝送するワイヤレス映像伝送装置が提案されており、また、複数台のＰＣからの画像信号を１台のプロジェクタに同時表示させるワイヤレス伝送システムも開示されている（例えば、特許文献１参照。）。
【特許文献１】特開２００３−３３０４３６号公報
【発明の開示】
【発明が解決しようとする課題】
【０００４】
しかしながら、上記のワイヤレス伝送システムでは、各ＰＣに割り当てられる表示領域は、プロジェクタ側で強制的に定められるので、様々な形態のプレゼンテーションに対応できないという問題がある。
【０００５】
また、上記のワイヤレス伝送システムでは、ＰＣの画像信号をそのままプロジェクタに送信するので、伝送路のトラフィックが大きくなるという問題がある。特に、現在の無線ＬＡＮにおける主要な規格（ＩＥＥＥ８０２．１１ｂ）の伝送レートは、およそ１１Ｍｂｐｓであり、今後の展開が期待されている規格（ＩＥＥＥ８０２．１１ｇ等）の伝送レートでも、およそ５４Ｍｂｐｓであるため、ＰＣとプロジェクタ間における伝送路のトラフィックは可能な限り軽減されていることが望まれている。
【０００６】
そこで、本発明は、上記問題点および事情に鑑みなされたものであり、伝送路のトラフィックを軽減しつつ、様々な形態のプレゼンテーションを可能とする画像伝送システムを提供することを目的とする。
【課題を解決するための手段】
【０００７】
上記目的を達成するために、本発明に係る画像伝送システムは、画像を生成する複数の画像生成装置と、投影画面を分割して複数の画像を同時に投影するマルチモードにより前記画像生成装置から伝送された画像を投影する画像投影装置とから構成される画像伝送システムであって、前記画像生成装置は、画像を生成する画像生成手段と、前記画像に、画像送信または前記画像投影装置における投影に関する調整を施す送信画像調整手段と、調整された前記画像を前記画像投影装置に送信する送信手段とを備え、前記画像投影装置は、前記画像生成装置から送信される画像を受信する受信手段と、受信された前記画像に施された調整の内容を判定し、判定結果に応じて前記画像に再調整を施す出力画像調整手段と、前記再調整後の画像を投影する投影手段とを備え、前記送信画像調整手段は、前記マルチモード、または前記画像投影装置において１つの画像を前記投影画面の全面に投影する全面モード、に対応する調整を前記画像に施し、前記出力画像調整手段は、前記マルチモードで前記画像に再調整を施している際には、後から前記受信手段により受信された他の画像生成装置の画像を優先して再調整を施し、前記全面モードで前記画像に再調整を施している際には、現在再調整を施している前記画像を優先し、後から前記受信手段により受信された他の画像生成装置の画像に対して再調整を施さないことを特徴とする。
また、上記目的を達成するために、本発明に係る画像伝送システムは、画像を生成する複数の画像生成装置と、投影画面を分割して複数の画像を同時に投影するマルチモードにより前記画像生成装置から伝送された画像を投影する画像投影装置とから構成される画像伝送システムであって、前記画像生成装置は、画像を生成する画像生成手段と、前記画像に、画像送信または前記画像投影装置における投影に関する調整を施す送信画像調整手段と、調整された前記画像を前記画像投影装置に送信する送信手段とを備え、前記画像投影装置は、前記画像生成装置から送信される画像を受信する受信手段と、受信された前記画像に施された調整の内容を判定し、判定結果に応じて前記画像に再調整を施す出力画像調整手段と、前記再調整後の画像を投影する投影手段とを備えることを特徴とする。これによって、画像生成装置であるＰＣ側で、画像投影装置であるプロジェクタへの送信時またはプロジェクタにおける投影時に関する調整を送信画面に施してプロジェクタに画面を送信するので、伝送路のトラフィックの軽減およびユーザに様々な形態のプレゼンテーションの実現を提供することができる。
【０００８】
ここで、前記送信画像調整手段は、前記マルチモード、または前記画像投影装置において１つの画像を前記投影画面の全面に投影する全面モード、に対応する調整を前記画像に施してもよい。これによって、ユーザは、マルチモードと全面モードとを切り替えてプロジェクタにＰＣ画面を投影させることができる。
【０００９】
また、前記出力画像調整手段は、前記マルチモードで前記画像に再調整を施している際には、後から前記受信手段により受信された他の画像生成装置の画像を優先して再調整を施してもよい。また、前記出力画像調整手段は、前記全面モードで前記画像に再調整を施している際には、現在再調整を施している前記画像を優先し、後から前記受信手段により受信された他の画像生成装置の画像に対して再調整を施さなくてもよい。これによって、マルチモードにおいては、ユーザは後からでもプロジェクタにＰＣ画面を投影させることができる。一方、全面モードにおいては、後からのユーザはプロジェクタにＰＣ画面を投影させることができず、全面モードで投影を行っているユーザがプロジェクタを占有してＰＣ画面を投影させることができる。
【００１０】
また、前記出力画像調整手段は、受信された前記画像に、前記投影画面を１つの主領域と複数の副領域に分割して複数の画像を同時に投影するインデックスモードを用いて再調整を施してもよい。ここで、前記画像投影装置は、さらに、前記副領域に投影された複数の画像の中から１つの画像の選択を受け付ける選択受付手段を備え、前記出力画像調整手段は、選択された前記画像を前記主領域に投影するように再調整を施すことが好ましい。これによって、ユーザは、複数の画像の中から１つの画像を簡単に選択してプロジェクタの主領域に投影させることができる。
【００１１】
より具体的には、前記送信画像調整手段は、前記画像投影装置の投影画面中における位置を指定する情報を前記画像に付加し、前記出力画像調整手段は、前記指定された位置を判定して前記画像を前記投影画面中における位置に配置する。これによって、ユーザは、プロジェクタの投影画面中の指定位置にＰＣ画面を投影させることができる。
【００１２】
また、前記送信画像調整手段は、前記画像を前記画像投影装置の投影画面におけるサイズに合わせて調整する。これによって、ＰＣ側で予め送信画面をプロジェクタに投影させるサイズに調整して送信するので、伝送路のトラフィックを軽減することができる。
【００１３】
また、前記送信画像調整手段は、前記画像の解像度を調整する。これによって、プロジェクタの解像度に合わせてＰＣ側で送信画面の解像度を調整して送信するので、ＰＣおよびプロジェクタ間における伝送量の低減を図ることができる。
【００１４】
また、前記送信画像調整手段は、前記画像のうち前記画像投影装置に送信する領域を設定する。これによって、ＰＣの画面のうち設定された領域のみがプロジェクタに送信されるので、ユーザは、プロジェクタに投影させたい部分のみを投影させることができる。
【００１５】
また、前記送信画像調整手段は、前記画像の圧縮度を調整して、前記画像を圧縮するとともに、前記圧縮に関する情報を前記圧縮された画像に付加し、前記出力画像調整手段は、前記圧縮に関する情報を判定して、前記受信した画像を解凍する。これによって、ＰＣは、画面の圧縮度を調整して送信するので、画質を優先させたり、伝送速度を優先させたりする等、ユーザの設定に応じた画面伝送が可能となる。
【００１６】
また、前記送信画像調整手段は、前記画像投影装置における投影画面の占有に関する権限を設定して、前記画像に前記権限に関する情報を付加し、前記出力画像調整手段は、前記権限に関する情報に基づいて、前記受信した画像の投影の可否を判定する。これによって、プロジェクタの表示に関するユーザごとの権限に基づいて、プロジェクタは投影を許可したり、禁止したりするので、学校における教師の表示領域に生徒が画面を送信することを禁止する等、様々な形態のプレゼンテーションにも対応可能となる。
【００１７】
また、前記送信画像調整手段は、前記画像投影装置における投影画面を予測し、当該予測に基づいて、前記画像を補正する。これによって、ＰＣ側で、プロジェクタの投影状態を予測し、予め送信画面を補正して送信するので、プロジェクタを操作して投影状態を調整する手間を省くことができる。
【００１８】
さらに、本発明に係る画像伝送システムは、前記画像投影装置を操作するためのリモートコントローラを備え、前記リモートコントローラは、ユーザから前記画像投影装置の操作を受け付ける操作入力手段と、前記操作入力手段の入力を仮想的に前記画像生成装置の入力装置による入力モードに設定するエミュレートモード設定手段とを備え、前記画像投影装置は、前記操作入力手段に入力された操作信号を取得するリモコンコード受信手段と、前記取得した操作信号を前記画像生成装置に送信する信号送信手段とを備え、前記画像生成装置は、前記操作信号を受信する信号受信手段と、前記受信した操作信号を前記画像生成装置の入力装置による入力に変換するキーエミュレート手段とを備えるとしてもよい。これによって、プロジェクタのリモコンの操作がＰＣの入力装置の操作にエミュレートされるので、ユーザは、ＰＣから離れていてもプロジェクタのリモコンを使って、プレゼンテーション資料のページ送り等の操作を行なうことができる。
【００１９】
なお、本発明は、このような画像伝送システムとして実現することができるだけでなく、このような画像伝送システムを構成する各装置が備える特徴的な手段をステップとする画像伝送方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００２０】
このように、本発明に係る画像伝送システムによれば、ＰＣから表示位置や送信する領域等を調整してプロジェクタに画面を送信するので、ユーザは、ＰＣ画面をプロジェクタ側で全画面表示としたり、２分割画面表示、あるいは、４分割画面表示としたりすることができ、また、送信領域を選択してプロジェクタにＰＣ画面を投影させることが可能となり、様々な形態のプレゼンテーションが実現可能となる。また、ＰＣ側で予め送信画面をプロジェクタに投影させるサイズに調整して送信するので、伝送負荷を軽減することもできる。
【００２１】
また、プロジェクタの表示可能な解像度に合わせてＰＣ側で送信画面の解像度を調整して送信するので、ＰＣおよびプロジェクタ間における伝送量を低減することができる。
【００２２】
さらに、画面の圧縮度を調整して送信するので、画質の優先や伝送速度の優先等、ユーザの設定に応じた画面伝送を実現することも可能となる。
【発明を実施するための最良の形態】
【００２３】
以下、本発明を実施するための最良の形態について詳細に説明する。
図１は、本実施の形態に係る画像伝送システムの外観構成を示す図である。
【００２４】
この画像伝送システムは、ＰＣ１００からＰＣ１００の表示装置に表示されている画面をプロジェクタ２００に送信し、プロジェクタ２００でスクリーン２０に受信した画面を投影させるシステムであり、ＰＣ１００は、無線ＬＡＮチップが格納された無線ＬＡＮカード１０が取り付けられており、これによりネットワークを介してプロジェクタ２００に画像信号を送信する。
【００２５】
図２は、本実施の形態に係る画像伝送システムを構成するＰＣ１００およびプロジェクタ２００のハードウェア構成を示すブロック図である。
【００２６】
図２に示すように、ＰＣ１００は、ＣＰＵ１０１、メインメモリ１０２、記憶装置１０３、グラフィックスチップ１０４、ＶＲＡＭ１０５、ディスプレイ１１０に出力する出力ＩＦ１０６、キーボード１１１やマウス１１２等の入力装置からユーザの操作に基づく指示信号を取得するユーザＩＦ１０７、および、ＬＡＮ等を経由してプロジェクタ２００やサーバ等と通信するためのインターフェースであるネットワークＩＦ１０８を備える。
【００２７】
プロジェクタ２００は、ＣＰＵ２０１、メインメモリ２０２、記憶装置２０３、グラフィックスチップ２０４、リサイズＬＳＩ２０５、ＶＲＡＭ２０６、ネットワークＩＦ２０７および出力装置２０８を備える。
【００２８】
図３は、本実施の形態に係る画像伝送システムを構成するＰＣおよびプロジェクタの機能的な構成を示すブロック図である。
【００２９】
図３に示すように、ＰＣ５００は、制御部５０１、表示画面生成部５０２、レイヤーキャプチャ部５０３、ＰＣ通信部５０４、表示出力部５０５、入力部５０６、および、送信レイヤー調整部５０７を備え、プロジェクタ６００は、プロジェクタ通信部６０１と、表示出力部６０２と、出力レイヤー調整部６０３とを備える。
【００３０】
制御部５０１は、ＰＣ５００を構成する各部を制御する処理部であり、ＣＰＵ１０１やメインメモリ１０２によって実現され、例えば、表示画面生成部５０２に画面生成指示を出力したり、レイヤーキャプチャ部５０３に画面の構成単位であるレイヤーのキャプチャ指示を出力したりする。
【００３１】
表示画面生成部５０２は、制御部５０１から画面生成指示を取得して、ディスプレイ等の表示装置に出力する画面を生成する処理部であり、グラフィックスチップ１０４やＶＲＡＭ１０５等によって実現される。
【００３２】
レイヤーキャプチャ部５０３は、制御部５０１からキャプチャ指示を取得して、表示画面生成部５０２が生成した画面を、レイヤーごとにキャプチャする処理部であり、グラフィックスチップ１０４やメインメモリ１０２等によって実現される。また、レイヤーキャプチャ部５０３は、キャプチャした画面を送信レイヤー調整部５０７に出力する。ここで、制御部５０１から出力されるキャプチャ指示には、キャプチャするレイヤーに関する情報のみが含まれており、キャプチャしないレイヤーに関する情報は含まれていない。なお、キャプチャするレイヤーおよびキャプチャしないレイヤーについては、ソフトウェアプログラムで予め設定されているものに従って、または、ＰＣ５００のユーザによる設定に従って制御部５０１において判断される。ここで、レイヤーの構成について図４を用いて説明する。
【００３３】
図４（ａ）は、レイヤーの構成を分離して示す図であり、上位レイヤー１２３ａと下位レイヤー１２３ｂとが示されている。ここで、上位レイヤーａとは、画面表示される際に前面に位置するレイヤーをいい、下位レイヤー１２３ｂとは、背面に位置するレイヤーをいう。
【００３４】
図４（ｂ）は、実際に表示される画面のレイヤー構成を示す図であり、表示画面を構成する表示レイヤー１２３ｃが示されている。この表示レイヤー１２３ｃは、上位レイヤー１２３ａと下位レイヤー１２３ｂとが重ね合されたものである。このようにＰＣ１００のディスプレイ１１０に表示される画面は、複数のレイヤーが積層されて構成されている。
【００３５】
送信レイヤー調整部５０７は、レイヤーキャプチャ部５０３でキャプチャしたレイヤーに、プロジェクタ６００へ送信する際の設定やプロジェクタ６００側での表示の設定等の調整を施す処理部であり、ＣＰＵ１０１やメインメモリ１０２等によって実現される。そして、送信レイヤー調整部５０７は、調整を施したレイヤーをプロジェクタ６００に送信する画面としてＰＣ通信部５０４に出力する。なお、送信レイヤー調整部５０７については、後に詳しく説明する。
【００３６】
ＰＣ通信部５０４は、送信レイヤー調整部５０７から送信画面を取得し、パケット化してプロジェクタ６００に送信する処理部であり、ＣＰＵ１０１やネットワークＩＦ１０８等により実現される。
【００３７】
表示出力部５０５は、表示画面生成部５０２が生成した出力画面を取得して、表示装置に出力する処理部であり、出力ＩＦ１０６によって実現される。
【００３８】
プロジェクタ通信部６０１は、ＰＣ通信部５０４からパケット化された送信画面を受信して、出力レイヤー調整部６０３に出力する処理部であり、ＣＰＵ２０１やネットワークＩＦ２０７等によって実現される。
【００３９】
出力レイヤー調整部６０３は、送信レイヤー調整部５０７において施された調整内容を判定し、受信したレイヤーを再調整して表示出力部６０２に送る処理部であり、ＣＰＵ２０１やメインメモリ２０２等によって実現される。なお、出力レイヤー調整部６０３については、後に詳しく説明する。
【００４０】
表示出力部６０２は、出力レイヤー調整部６０３から投影画面を取得してスクリーン上に出力する処理部であり、出力装置２０８等によって実現される。
【００４１】
図５（ａ）に、送信レイヤー調整部５０７の詳細な機能ブロック図を示す。
図５（ａ）に示すように、送信レイヤー調整部５０７は、オフセット調整部５１１、解像度調整部５１２、領域調整部５１３、圧縮調整部５１４、ユーザ権限設定部５１５、および、画面補正部５１６を備える。
【００４２】
オフセット調整部５１１は、プロジェクタ６００における表示位置（オフセット）を調整する処理部である。このオフセット調整部５１１は、例えば、ユーザから入力部５０６を介して表示位置の指定を受け付け、送信するレイヤーと共に当該表示位置の情報をＰＣ通信部５０４に出力する。また、オフセット調整部５１１は、プロジェクタ６００におけるオフセットに加えて、プロジェクタ６００における表示サイズの調整を行なう。ここで、表示サイズの調整とは、例えば、ＰＣ画面をプロジェクタ６００の表示画面の１／４サイズに縮小させること等であり、オフセット調整部５１１は、プロジェクタ６００から、予めプロジェクタ６００の表示画面の寸法に関する情報を取得して保持しておくことで、ＰＣ画面をプロジェクタの表示サイズに合わせて調整することが可能になっている。
【００４３】
解像度調整部５１２は、送信画面の解像度を調整する処理部である。この解像度調整部５１２は、例えば、プロジェクタ６００から予めプロジェクタ６００の最大解像度に関する情報を取得しておき、ＰＣ５００の送信画面がその最大解像度を超える場合には、送信画面の解像度を下げてＰＣ通信部５０４に出力する。
【００４４】
領域調整部５１３は、キャプチャしたレイヤーのうち送信する領域を調整する処理部である。この領域調整部５１３は、例えば、ユーザから入力部５０６を介して領域の指定を受け付けて、指定された領域を送信レイヤーとしてＰＣ通信部５０４に出力する。
【００４５】
圧縮調整部５１４は、送信するレイヤーの圧縮率や圧縮方式を変更することにより圧縮度を調整する処理部である。この圧縮調整部５１４は、例えば、ユーザから入力部５０６を介して圧縮率等の指定を受け付けて、指定された圧縮率等により送信レイヤーを圧縮してＰＣ通信部５０４に出力する。圧縮度の調整を行なうことにより、ユーザは、プロジェクタ側での投影時における画質を優先させるか、プロジェクタへの送信時における通信速度を優先させるかを選択的に設定することが可能となる。なお、圧縮度の調整は、量子化幅や間引き率を変えることにより行なう。
【００４６】
ユーザ権限設定部５１５は、送信画面にユーザの権限に関する情報を付加する処理部である。ここで、ユーザの権限とは、プロジェクタ６００側における表示権限を意味し、例えば、マスタ権限が付加された送信画面は、一般ユーザ権限が付加された送信画面を割り込ませない（表示を妨げさせない）ことができる。
【００４７】
画面補正部５１６は、送信画面がプロジェクタ６００側で適正に表示されるように、送信画面を補正する処理部である。この画面補正部５１６は、予めプロジェクタ６００から投影後の表示に関する情報（表示予測情報）を取得しておき、その情報に基づいてプロジェクタ６００側で最適な表示となるように、送信画面に台形補正等を施し、施した補正に関する情報とともにＰＣ通信部５０４に出力する。
【００４８】
また、図５（ｂ）に、出力レイヤー調整部６０３の詳細な機能ブロック図を示す。
図５（ｂ）に示すように、出力レイヤー調整部６０３は、オフセット判定部６１１、解像度判定部６１２、領域判定部６１３、圧縮判定部６１４、ユーザ権限判定部６１５、および、補正判定部６１６を備え、送信レイヤー調整部５０７の構成と対応付けられている。
【００４９】
オフセット判定部６１１は、オフセット調整部５１１において設定された表示位置情報を判定して、当該表示位置にＰＣ画面を配置する処理部である。
【００５０】
解像度判定部６１２は、ＰＣ５００の送信画面の解像度を判定し、その解像度がプロジェクタ６００の最大解像度を超えていないかを確認した後、表示出力部６０２に送る処理部である。なお、この解像度判定部６１２は、ＰＣ５００の送信画面の解像度が、プロジェクタ６００の最大解像度に満たない場合には、送信画面の解像度をプロジェクタ６００の最大解像度まで上げて表示出力部６０２に送るとしてもよい。
【００５１】
領域判定部６１３は、領域調整部５１３において指定された領域を判定し、当該領域を表示出力部６０２に送る処理部である。
【００５２】
圧縮判定部６１４は、圧縮調整部５１４で設定された圧縮率等を判定し、圧縮された送信画面を解凍し、表示出力部６０２に送る処理部である。
【００５３】
ユーザ権限判定部６１５は、送信画面に付加されたユーザ権限情報を判定し、ユーザ権限に応じて表示出力部６０２への出力を制御する処理部である。すなわち、このユーザ権限判定部６１５は、上記の例であれば、マスタ権限が付加された送信画面は、そのまま表示出力部６０２へ出力するが、一般ユーザ権限が付加された送信画面は、マスタ権限が付加された送信画面が表示中の場合、表示出力部６０２へ出力しない制御を行なう。
【００５４】
補正判定部６１６は、プロジェクタ６００に備え付けられた角度センサ等を用いて表示予測情報を生成し、プロジェクタ通信部６０１を介してＰＣ５００に送信したり、画面補正部５１６において施された補正情報を判定して、表示出力部６０２に送ったりする処理部である。この補正判定部６１６は、送信画面に補正情報が含まれていない場合、表示予測情報に基づいて、最適な表示となるように、送信画面に台形補正等を施して表示出力部６０２に送るとしてもよい。
【００５５】
このように構成された画像伝送システムの処理動作について、以下説明する。
図６は、画像伝送システムの処理手順を示すフローチャートである。
【００５６】
まず、ＰＣ５００は、表示画面生成部５０２において、表示画面を生成する（Ｓ６０）。
【００５７】
次に、制御部５０１において、プロジェクタ６００に投影させないレイヤーがあるか否かを判断し（Ｓ６２）、投影させないレイヤーがある場合（Ｓ６２のＹｅｓ）、制御部５０１は、レイヤーキャプチャ部５０３に投影させるレイヤー（下位レイヤー）のみをキャプチャさせる指示を出力し、その指示に従ってレイヤーキャプチャ部５０３は、下位レイヤーのみをキャプチャする（Ｓ６４）。一方、投影させないレイヤーがなければ（Ｓ６２のＮｏ）、制御部５０１は、レイヤーキャプチャ部５０３に全てのレイヤーをキャプチャさせる指示を出力し、その指示に従ってレイヤーキャプチャ部５０３は、全てのレイヤーをキャプチャする（Ｓ６６）。
【００５８】
その後、レイヤーキャプチャ部５０３は、キャプチャしたレイヤーを送信レイヤー調整部５０７に出力する。送信レイヤー調整部５０７は、キャプチャしたレイヤーに、上述した種々の調整を施してＰＣ通信部５０４に出力し、ＰＣ通信部５０４は、取得したレイヤーおよび送信レイヤー調整部５０７でレイヤーに付加された付属情報をパケット化してプロジェクタ６００に送信する（Ｓ６８）。
【００５９】
一方、プロジェクタ６００側では、プロジェクタ通信部６０１において、ＰＣ５００から送信されるレイヤーを受信すると（Ｓ７０）、出力レイヤー調整部６０３が、受信したレイヤーに施された調整を判定し、上述した種々の再調整を施して出力表示部６０２に出力する（Ｓ７２）。
【００６０】
そして、出力表示部６０２は、再調整が施されたレイヤーを取得して、スクリーンへ投影させて（Ｓ７４）、処理動作を終了する。
【００６１】
以下では、図７〜図１６を用いて、上記の処理動作を具体的に説明する。
図７は、複数台のＰＣの画面を１台のプロジェクタに投影させている様子を示す図である。
【００６２】
図７では、４台のＰＣ５００、５００ａ、５００ｂおよび５００ｃから、それぞれＰＣ画面が、１台のプロジェクタ６００に送信され、プロジェクタ６００がスクリーン２０に受信したＰＣ画面を４分割して投影している様子が示されている。
【００６３】
このとき、ＰＣ５００は、オフセット調整部５１１において送信画面をプロジェクタ６００の左上に、１／４サイズで表示する設定を施しており、ＰＣ５００ａは、オフセット調整部５１１において送信画面をプロジェクタ６００の右上に、１／４サイズで表示する設定を施しており、ＰＣ５００ｂは、オフセット調整部５１１において送信画面をプロジェクタ６００の左下に、１／４サイズで表示する設定を施しており、ＰＣ５００ｃは、オフセット調整部５１１において送信画面をプロジェクタ６００の右下に、１／４サイズで表示する設定を施して、それぞれＰＣ通信部５０４からプロジェクタ６００にＰＣ画面を送信している。そして、プロジェクタ６００では、これらのＰＣ５００〜５００ｃから受信したＰＣ画面を、それぞれオフセット判定部６１１で表示位置を判定して表示出力している。
【００６４】
なお、ユーザから受け付ける表示位置の指定は、右上、左下等のように、おおよその位置だけが指定され、オフセット調整部５１１でプロジェクタ６００における詳細なオフセットを算出するとしてもよいし、オフセット調整部５１１では、指定のみを受け付けてそのままプロジェクタ６００に送信し、オフセット判定部６１１で詳細なオフセットを算出するとしてもよい。
【００６５】
この画面表示の状態で、例えば、ＰＣ５００が、オフセット調整部５１１において送信画面をプロジェクタ６００の全画面に表示する設定を施してＰＣ通信部５０４からプロジェクタ６００にＰＣ画面を送信すると、プロジェクタ６００は、オフセット判定部６１１で表示位置を判定しＰＣ画面を全画面表示として表示出力部６０２に出力する。
【００６６】
図８は、１台のＰＣの画面をプロジェクタの全画面に投影させている様子を示す図である。
【００６７】
図８では、ＰＣ５００の表示画面を、プロジェクタ６００側で全画面表示としてスクリーン２０に投影している様子が示されている。
【００６８】
このとき、プロジェクタ６００は、その他のＰＣ５００ａ、５００ｂおよび５００ｃとの通信を切断しており、通信状態を維持することにより伝送帯域が無駄になることを防止しており、本図では、プロジェクタ６００と各ＰＣ５００ａ〜５００ｃの通信線を遮断することにより示している。ここでは、通信を切断するとしているが、全画面表示にした段階で、プロジェクタ６００から各ＰＣ５００ａ〜５００ｃに送信画面の伝送を禁止する接続不可情報を送信するとしてもよい。
【００６９】
なお、この場合、ＰＣ５００は、ユーザ権限設定部５１５において、送信画面にその他のユーザの表示権限を排除することができる権限が設定されており、プロジェクタ６００がユーザ権限判定部６１５において、設定された権限に基づいて全画面表示を可としている。
【００７０】
ここで、ユーザの権限は、ユーザ権限設定部５１５において設定されるものに限られず、ユーザ権限判定部６１５において、受信の先後に基づいて表示の可否を判定するとしてもよい。すなわち、全画面表示を要求するＰＣ画面の場合は、プロジェクタ６００が先に受信したＰＣ画面を優先して出力し、その後に受信したＰＣ画面は、全画面表示されているＰＣ画面の表示が中止されるまで、出力されないようにし、図７に示したような画面分割表示（マルチ表示）の場合は、プロジェクタ６００が受信した順にＰＣ画面を出力するようにしてもよい。
【００７１】
また、プロジェクタ６００のリモートコントローラ（リモコン）を介してユーザから画面の指定を受け付けて、指定された画面をスクリーン２０に全画面で投影させたり、指定された画面のみを拡大して投影させたりしてもよい。
【００７２】
図９は、１台のＰＣの画面をプロジェクタ側で拡大して投影させている様子を示す図である。
【００７３】
図９では、４台のＰＣ５００、５００ａ、５００ｂおよび５００ｃから、それぞれＰＣ画面が、１台のプロジェクタ６００に送信され、プロジェクタ６００がスクリーン２０に受信したＰＣ画面をサムネイルとして小さく表示し、ＰＣ５００の表示画面を、プロジェクタ６００側でその他のＰＣ５００ａ〜５００ｃの表示画面よりも拡大してスクリーン２０に投影している様子が示されている。
【００７４】
このとき、スクリーン２０においてサムネイルとして小さく表示されているＰＣ画面は、ユーザがリモコン６０４を操作することで動く選択カーソル６０４ａによって選択可能になっており、選択されたＰＣ画面は、他のＰＣ画面よりも拡大して投影される。本図では、ＰＣ５００のＰＣ画面が選択されて拡大して投影されていることを示している。ここで、選択されたＰＣ画面に選択カーソル６０４ａを合わせた状態で、ユーザが再びリモコン６０４の選択決定ボタンを押下する操作を行なうと、図８に示したように、ＰＣ画面をスクリーン２０に全画面で投影させるとしてもよい。
【００７５】
ここで、サムネイルとしてスクリーン２０に表示されるＰＣ画面の数は、４台を図示しているが、１台であってもよいし、この台数に限られるものでないことはいうまでもない。
【００７６】
また、ネットワーク以外のインターフェースから入力される画像、例えば、アナログビデオ信号やディジタルビデオ信号も同時にスクリーン２０に投影し、リモコン６０４によって選択カーソル６０４ａを操作することで選択可能にしてもよい。
【００７７】
なお、ここで述べた表示権限の決定方法は、一例に過ぎず、受信の先後やユーザ権限等を組み合わせる等の様々な手法を用いることができる。
【００７８】
図８に示した画面表示の状態で、ＰＣ５００が、全画面表示を解除する指示信号をプロジェクタ６００に送信する、または、プロジェクタ６００との通信状態が不通になると、プロジェクタ６００は、表示出力部６０２において、直前の画面表示の状態を再度、スクリーン２０に投影する。
【００７９】
図１０は、プロジェクタ６００が全画面表示からマルチ表示に切り替える様子を示す図である。
【００８０】
図１０では、プロジェクタ６００は、各ＰＣ５００〜５００ｃとの通信を切断したままで、図７における画面と同様の画面をスクリーン２０に投影している様子が示されている。
【００８１】
この場合、プロジェクタ６００は、ＰＣ５００のＰＣ画面を全画面表示する前のマルチ表示時における画面をＶＲＡＭ２０６に保持しており、全画面表示を解除する際に、ＶＲＡＭ２０６から直前のマルチ表示画面を読み出してスクリーン２０に投影する。
【００８２】
一方、図８に示した画面表示の状態で、ＰＣ５００が、全画面表示を解除する指示信号をプロジェクタ６００に送信する、または、プロジェクタ６００との通信状態が不通になると、プロジェクタ６００は、その他のＰＣ５００ａ〜５００ｃとの通信を再開して、ＰＣ５００ａ〜５００ｃからＰＣ画面を再受信するとしてもよい。
【００８３】
図１１は、プロジェクタ６００がＰＣ５００ａ〜５００ｃとの通信を再確立することでマルチ表示に切り替える様子を示す図である。
【００８４】
図１１では、プロジェクタ６００は、ＰＣ５００との通信を切断し、ＰＣ５００ａ〜５００ｃとの通信を再確立して、ＰＣ５００ａ〜５００ｃからそれぞれＰＣ画面を受信してスクリーン２０に投影している様子が示されている。また、プロジェクタ６００は、以前のマルチ表示画面におけるＰＣ５００の表示画面の位置を黒く塗りつぶして投影している。この黒く塗りつぶされた箇所は、プロジェクタ６００が当該位置に全黒の画面を描画して投影させているとしてもよいし、ＰＣ５００が全画面表示を解除する指示信号を送信する際に全黒の画面を描画してプロジェクタ６００に送信しておき、プロジェクタ５００が受信した画面を投影させているとしてもよい。
【００８５】
なお、ここでは、複数台のＰＣからプロジェクタに画面を送信する場合を説明したが、１台のＰＣからプロジェクタに複数の画面を送信するようにしてもよい。このようにすることで、複数の資料を１画面で同時表示させることができるので、プレゼンテーションを行ないやすくすることができる。
【００８６】
次に、ＰＣ側で送信画面に領域設定がされている場合を説明する。
図１２は、ＰＣ側で領域設定がされている画面をプロジェクタに投影させている様子を示す図である。
【００８７】
図１２では、ＰＣ５００ｂから画面中の設定領域５２０ｂ、そして、ＰＣ５００ｃから画面中の設定領域５２０ｃが、プロジェクタ６００に送信されてスクリーン２０上に投影されている様子が示されている。
【００８８】
本図中の設定領域５２０ｂおよび５２０ｃは、ＰＣ５００ｂおよび５００ｃにおける画面中で最前面に位置しているウィンドウであり、この場合、ＰＣ５００ｂおよび５００ｃの領域調整部５１３において、最前面に位置しているウィンドウを送信領域とする設定がなされているといえる。
【００８９】
図１３は、ユーザの指定による領域設定がされている画面をプロジェクタに投影させている様子を示す図である。
【００９０】
図１３では、ＰＣ５００ｂから画面中の指定領域５３０ｂが、プロジェクタ６００に送信されてスクリーン２０上に投影されている様子が示されている。
【００９１】
本図中の指定領域５３０ｂは、ユーザが入力部５０６を介して指定した領域であり、この場合、ＰＣ５００ｂの領域調整部５１３において、ユーザから指定された領域を送信領域とする設定がなされているといえる。
【００９２】
このように、ＰＣ画面のうち送信する領域を調整可能とすることで、複数台のＰＣによってプロジェクタの画面スペースを共有する際の利便性を向上させることができる。
【００９３】
ところで、プロジェクタが複数台のＰＣから画面を受信してスクリーンに投影する場合、画面を送信しているＰＣのユーザを除く他のユーザは、どのＰＣの画面が投影されているかを知ることができない。そのため、プロジェクタ側で、スクリーンに投影中のＰＣ画面の発信元ユーザ名を表示して、各ユーザに、いずれのＰＣがプロジェクタに投影中であるかを示すようにしてもよい。
【００９４】
図１４は、プロジェクタがユーザ名を含む画面を投影している様子を示す図である。
図１４では、ＰＣ５００がプロジェクタ６００にＰＣ画面５４０を送信し、プロジェクタ６００がスクリーン２０に投影している様子が示されており、プロジェクタ６００がスクリーン２０に投影している画面中にＰＣ画面５４０には含まれていないユーザ名表示５４１が示されている。このとき、ＰＣ５００はＰＣ画面５４０と共に、ＰＣ５００の識別子（例えば、コンピュータ名）をプロジェクタ６００に送信し、プロジェクタ６００は、受信した識別子に基づいてユーザ名を記述するレイヤーを生成する。このようにして、プロジェクタ６００は、ＰＣ画面５４０には表示されていないユーザ名表示５４１をスクリーン２０に投影している。なお、ここでは、プロジェクタ６００側でユーザ名を記述するレイヤーを生成するとしているが、ＰＣ５００側でユーザ名を記述する仮想レイヤーを生成し、生成した仮想レイヤーをプロジェクタ６００に送信してユーザ名表示５４１をスクリーン２０に投影させるとしてもよい。なお、ここにいう仮想レイヤーとは、ＰＣ５００側ではレイヤーとして取り扱われず非表示とされ、プロジェクタ６００側でスクリーン２０に投影させるために仮想的に生成されるレイヤーである。
【００９５】
この場合において、プロジェクタ６００は、ユーザ名を記述するレイヤーを生成する際に、また、ＰＣ５００は、ユーザ名を記述する仮想レイヤーを生成する際に、投影時の視認性を高める処理をするのが好ましい。図１５を用いて説明する。図１５（ａ）の例では、プロジェクタ６００またはＰＣ５００は、ユーザ名の文字に縁をつけることで、文字部分が強調されるので投影時の視認性が高められている。また、図１５（ｂ）の例では、ユーザ名の文字に縁をつけ、さらに、レイヤーに文字の色と異なる背景色を施している。これによって、スクリーン２０に投影されている画面の背景色を問わずに文字部分が強調されるので、投影時の視認性が高められることになる。
【００９６】
なお、ここでは、ユーザ名を表示する場合について説明したが、表示する情報はこれに限られるものでなく、例えば、日付や時刻等の情報をスクリーン２０に投影するようにしてもよい。
【００９７】
次に、解像度の調整処理について説明する。
図１６は、解像度調整を行なう場合のＰＣとプロジェクタとの通信シーケンス図である。
【００９８】
まず、ＰＣ５００は、ＰＣ通信部５０４を介してＰＣ画面の解像度をプロジェクタ６００に送信して（Ｓ８０）、プロジェクタ６００の表示可能な最大解像度（プロジェクタ対応解像度）の取得を要求する。
【００９９】
プロジェクタ６００は、ＰＣ解像度を受信すると、プロジェクタ通信部６０１を介してＰＣ５００にプロジェクタ対応解像度を送信する（Ｓ８２）。
【０１００】
ＰＣ５００は、プロジェクタ対応解像度を取得すると、解像度調整部５１２において、プロジェクタ対応解像度の範囲内となるように送信画面をリサイズし（Ｓ８４）、ＰＣ通信部５０４を介してリサイズしたレイヤーをプロジェクタ６００に送信する（Ｓ８６）。
【０１０１】
例えば、送信しようとするＰＣ画面の解像度がＳＸＧＡ（１２８０×１０２４ドット）であり、プロジェクタ対応解像度がＸＧＡ（１０２４×７６８ドット）である場合には、ＰＣ５００は、解像度調整部５１２において、送信画面をＸＧＡにリサイズしてＰＣ通信部５０４に出力する。一方、送信しようとするＰＣ画面の解像度がＶＧＡ（６４０×４８０ドット）であり、プロジェクタ対応解像度がＸＧＡである場合には、ＰＣ５００は、送信画面の解像度がプロジェクタ対応解像度の範囲内にあるので、解像度調整部５１２において送信画面をリサイズせずにＰＣ通信部５０４に出力する。
【０１０２】
その後、プロジェクタ６００は、受信したレイヤーを出力表示して（Ｓ８８）、処理動作を終了する。
【０１０３】
このとき、上記のようにＰＣ画面の解像度がプロジェクタ対応解像度より低い場合、プロジェクタ６００は、解像度判定部６１２において、受信したＰＣ画面の解像度をＶＧＡからＸＧＡにリサイズして表示出力部６０２に出力する。
【０１０４】
なお、ＰＣ５００からプロジェクタ６００へ画面を送信し、プロジェクタ６００側でＰＣ画面をスクリーン２０に投影している間にＰＣ画面の解像度が変化した場合、ＰＣ５００は、解像度調整部５１２において、解像度の変化を検出し、解像度の調整を再度行なって、ＰＣ画面を再送信することにより、プロジェクタ６００側では、ＰＣ画面の解像度の変化に対応することが可能となる。また、ＰＣ画面の解像度に変化を及ぼすアプリケーションとしてスクリーンセーバー等が考えられるが、解像度調整部５１２において、プロジェクタ６００と接続状態にある場合には、ユーザの設定またはデフォルト設定でこれらのアプリケーションを無効化するようにしてもよい。
【０１０５】
続いて、画面の補正処理について説明する。
図１７は、ＰＣ側における画面補正とプロジェクタ側で補正後の画面を投影している様子を示す図である。
【０１０６】
図１７では、ＰＣ５００が補正前のＰＣ画面５５１をそのままプロジェクタ６００に送信した場合、スクリーン２０には補正前画面５５４が投影され、ＰＣ画面５５１に台形補正を施して補正後画面５５２をプロジェクタ６００に送信した場合、スクリーン２０には、受信した補正後画面５５３が投影される様子が示されている。
【０１０７】
このとき、プロジェクタ６００は、補正判定部６１６において、プロジェクタ６００に備え付けられた角度センサ等を用いて、補正前画面５５４が投影されるという表示予測情報を生成し、プロジェクタ通信部６０１を介して当該表示予測情報をＰＣ５００に送信する。ＰＣ５００は、画面補正部５１６において、取得した表示予測情報に基づいて、ＰＣ画面５５１に台形補正を施して補正後画面５５３を生成し、補正後画面５５３をＰＣ通信部５０４を介してプロジェクタ６００に送信する。このように、プロジェクタ６００から表示予測情報を取得して、ＰＣ５００側で送信画面に補正を施して送信することにより、プロジェクタ６００を操作して画面の投影状態を調整する手間を省くことができる。
【０１０８】
次に、本実施の形態に係る画像伝送システムの変形例について説明する。
図１８は、第１変形例におけるプロジェクタの機能的な構成を示すブロック図である。
【０１０９】
従来のプロジェクタでは、投影した画面を保存したり、プリントアウトしたりすることができない。そのため、投影された画像データを記録媒体に格納する場合や投影された画面を印刷する場合には、ＰＣを操作しなければならないという手間がかかってしまう。この第１変形例におけるプロジェクタ６００ａは、このような手間を省いてプレゼンテーションの円滑な運用を支援するものである。
【０１１０】
図１８に示すように、第１変形例におけるプロジェクタ６００ａは、プロジェクタ６００の構成に加えてイメージ抽出部６２０、書込部６２１および印刷出力部６２２を備える。
【０１１１】
イメージ抽出部６２０は、出力レイヤー調整部６０３からスクリーン２０に投影する画面のイメージを抽出する処理部である。
【０１１２】
書込部６２１は、イメージ抽出部６２０が抽出した画面イメージをメモリーカード等の記録媒体に書き込む処理部である。
【０１１３】
印刷出力部６２２は、イメージ抽出部６２０が抽出した画面イメージを印刷装置に出力する処理部である。
【０１１４】
このような構成とすることによって、プロジェクタ６００ａは、画面イメージを記録媒体に保存したり、プリントアウトしたりすることができるようになる。なお、イメージ抽出部６２０は、記録媒体から画面イメージを読み出して表示出力部６０２に出力するとしてもよい。
【０１１５】
図１９は、第２変形例におけるＰＣ、プロジェクタおよびリモコンの機能的な構成を示すブロック図である。
【０１１６】
プレゼンテーション時には、スクリーンに投影されている画面を説明するために、ユーザがＰＣから離れることがある。この場合、投影画面を切り替えたり、カーソルを移動させたりするためには、ユーザはＰＣまで戻らなければならず面倒であり、プレゼンテーションがその間中断してしまう。この第２変形例に係る画像伝送システムは、このような不都合を解消するものである。
【０１１７】
図１９に示すように、第２変形例におけるＰＣ５６０は、制御部５０１、入力部５０６、キーエミュレート部５６１およびＰＣ通信部５６２を備え、プロジェクタ６００ｂは、リモコンコード受信部６３１およびプロジェクタ通信部６３２を備え、リモコン６４０は、操作入力部６４１およびエミュレートモード設定部６４２を備える。
【０１１８】
リモコン６４０は、プロジェクタ６００ｂの表示調整（例えば、明暗の調整やサイズ調整等）を行なうためのリモートコントローラであり、操作入力部６４１およびエミュレートモード設定部６４２を備える。
【０１１９】
操作入力部６４１は、ユーザの操作を受け付けるためのボタン等であり、入力した信号をプロジェクタ６００ｂに出力する。
【０１２０】
エミュレートモード設定部６４２は、操作入力部６４１の入力信号をキーエミュレートする処理部である。ここで、キーエミュレートとは、操作入力部６４１の操作をＰＣ５６０の入力装置の操作にエミュレートすることをいう。このエミュレートモード設定部６４２は、例えば、リモコン６４１の所定のボタンに、キーエミュレートを行なうモードが割り当てられており、このボタンを押下する操作を受け付けると起動するようになっている。
【０１２１】
リモコンコード受信部６３１は、リモコン６４０から入力信号を取得する処理部であり、入力信号が通常モード（プロジェクタのリモートコントローラとして動作するモード）であるか、キーエミュレートモードであるかを判定し、キーエミュレートモードである場合には、入力信号をプロジェクタ通信部６３２に出力する。
【０１２２】
プロジェクタ通信部６３２は、ＰＣ通信部５６２にキーエミュレートモードの入力信号を送信し、ＰＣ通信部５６２は、受信した入力信号をキーエミュレート部５６１に出力する。
【０１２３】
キーエミュレート部５６１は、ＰＣ通信部５６２から取得した入力信号を、入力部５０６からの入力信号に変換する処理部である。
【０１２４】
このような構成とすることで、プロジェクタのリモコンでＰＣを操作することができ、ユーザは、プレゼンテーション資料のページ送り等をＰＣから離れていても行なうことができるようになる。
【０１２５】
このように本実施の形態に係る画像伝送システムによれば、ＰＣから表示位置や送信する領域等を調整してプロジェクタに画面を送信するので、ユーザは、全画面表示、２分割画面表示、あるいは、４分割画面表示等のように選択してプロジェクタにＰＣ画面を投影させることができ、様々な形態のプレゼンテーションを実現することができる。
【０１２６】
また、ＰＣ画面をキャプチャしてレイヤー単位でプロジェクタに送信し、かつ、ＰＣ側で、プロジェクタにおいて表示させる必要のないレイヤーを選別するので、伝送量を少なくすることができ、ＰＣおよびプロジェクタ間の伝送路におけるトラフィックを軽減させることができる。またさらに、プロジェクタの解像度に合わせてＰＣ側で送信画面の解像度を調整して送信するので、伝送路のトラフィックを軽減することができる。
【０１２７】
さらに、ＰＣからプロジェクタに画面を送信する際に、画面の圧縮率や圧縮方式を調整して送信するので、画質を優先させたり、伝送速度を優先させたり、ユーザの設定に応じた伝送を行なうこともできる。
【０１２８】
以上、本発明に係る画像伝送システムについて実施の形態に基づき説明したが、本発明は、この実施の形態に限定されるものではない。
【０１２９】
例えば、上記各実施の形態では、ＰＣとプロジェクタ間の通信は、無線ＬＡＮによるとしているが、有線ＬＡＮやＵＳＢ(Universal Serial Bus)、ＩＥＥＥ１３９４等を用いた通信であってもよいことはいうまでもない。
【０１３０】
また、画像投影装置としてプロジェクタを用いて説明したが、プラズマ・ディスプレイ・パネル等の表示装置としてもよい。
【産業上の利用可能性】
【０１３１】
本発明に係る画像伝送システムは、画像生成装置であるＰＣ等から画像投影装置であるプロジェクタ等に画像を伝送するシステムに適用することができ、特に、ワイヤレスプロジェクタを用いたプレゼンテーション等を行なう際に好適である。
【図面の簡単な説明】
【０１３２】
【図１】本発明の実施の形態に係る画像伝送システムの外観構成を示す図である。
【図２】画像伝送システムを構成するＰＣおよびプロジェクタのハードウェア構成を示すブロック図である。
【図３】画像伝送システムを構成するＰＣおよびプロジェクタの機能的な構成を示すブロック図である。
【図４】（ａ）は、レイヤーの構成を分離して示す図であり、（ｂ）は、実際に表示される画面のレイヤー構成を示す図である。
【図５】（ａ）は、送信レイヤー調整部の詳細な機能ブロック図であり、（ｂ）は、出力レイヤー調整部の詳細な機能ブロック図である。
【図６】ＰＣおよびプロジェクタの処理手順を示すフロー図である。
【図７】複数台のＰＣの画面を１台のプロジェクタに投影させている様子を示す図である。
【図８】１台のＰＣの画面をプロジェクタの全画面に投影させている様子を示す図である。
【図９】１台のＰＣの画面をプロジェクタ側で拡大して投影させている様子を示す図である。
【図１０】プロジェクタが全画面表示からマルチ表示に切り替える様子を示す図である。
【図１１】プロジェクタがＰＣとの通信を再確立することでマルチ表示に切り替える様子を示す図である。
【図１２】ＰＣ側で領域設定がされている画面をプロジェクタに投影させている様子を示す図である。
【図１３】ユーザの指定による領域設定がされている画面をプロジェクタに投影させている様子を示す図である。
【図１４】プロジェクタがユーザ名を含む画面を投影している様子を示す図である。
【図１５】（ａ）は、ユーザ名の表示形態の一例を示す図であり、（ｂ）は、ユーザ名の表示形態の別の一例を示す図である。
【図１６】解像度調整を行なう場合のＰＣとプロジェクタとの通信シーケンス図である。
【図１７】ＰＣ側における画面補正とプロジェクタ側で補正後の画面を投影している様子を示す図である。
【図１８】第１変形例におけるプロジェクタの機能的な構成を示すブロック図である。
【図１９】第２変形例におけるＰＣ、プロジェクタおよびリモコンの機能的な構成を示すブロック図である。
【符号の説明】
【０１３３】
１０    無線ＬＡＮカード
２０    スクリーン
１００、５００、５００ａ、５００ｂ、５００ｃ、５６０    ＰＣ
１０１、２０１    ＣＰＵ
１０２、２０２    メインメモリ
１０３、２０３    記憶装置
１０４、２０４    グラフィックスチップ
１０５、２０６    ＶＲＡＭ
１０６    出力ＩＦ
１０７    ユーザＩＦ
１０８、２０７    ネットワークＩＦ
１１０    ディスプレイ
１１１    キーボード
１１２    マウス
１２３ａ    上位レイヤー
１２３ｂ    下位レイヤー
１２３ｃ    表示レイヤー
２００、６００、６００ａ、６００ｂ    プロジェクタ
２０５    リサイズＬＳＩ
２０８    出力装置
５０１    制御部
５０２    表示画面生成部
５０３    レイヤーキャプチャ部
５０４、５６２    ＰＣ通信部
５０５、６０２    表示出力部
５０６    入力部
５０７    送信レイヤー調整部
５１１    オフセット調整部
５１２    解像度調整部
５１３    領域調整部
５１４    圧縮調整部
５１５    ユーザ権限設定部
５１６    画面補正部
５２０ｂ、５２０ｃ    設定領域
５３０ｂ    指定領域
５４０、５５１    ＰＣ画面
５４１    ユーザ名表示
５５２、５５３    補正後画面
５５４    補正前画面
５６１    キーエミュレート部
６０１、６３２    プロジェクタ通信部
６０３    出力レイヤー調整部
６０４、６４０    リモコン
６０４ａ    選択カーソル
６１１    オフセット判定部
６１２    解像度判定部
６１３    領域判定部
６１４    圧縮判定部
６１５    ユーザ権限判定部
６１６    補正判定部
６２０    イメージ抽出部
６２１    書込部
６２２    印刷出力部
６３１    リモコンコード受信部
６４１    操作入力部
６４２    エミュレートモード設定部
【図１】
0005295500.tif 000002
【図２】
0005295500.tif 000003
【図３】
0005295500.tif 000004
【図４】
0005295500.tif 000005
【図５】
0005295500.tif 000006
【図６】
0005295500.tif 000007
【図７】
0005295500.tif 000008
【図８】
0005295500.tif 000009
【図９】
0005295500.tif 000010
【図１０】
0005295500.tif 000011
【図１１】
0005295500.tif 000012
【図１２】
0005295500.tif 000013
【図１３】
0005295500.tif 000014
【図１４】
0005295500.tif 000015
【図１５】
0005295500.tif 000016
【図１６】
0005295500.tif 000017
【図１７】
0005295500.tif 000018
【図１８】
0005295500.tif 000019
【図１９】
0005295500.tif 000020